(57)【要約】【課題】  ０．３ｍｍ以下のファインピッチレンズにおいても遮光部を簡素かつ高精度に形成する方法を提供すること。【解決手段】  レンズシートのレンズ部側から照明光を照射し、レンズシートの裏面側の一定位置で、レンズ部により集光された前記照明光を受光することにより、前記遮光部を形成するための版を製造する版製造工程を行うとともに、製造工程により製造された版に基づいて、該版の製造位置に位置合わせした前記レンズシートの裏面側に、遮光性を有する遮光部形成材を印刷する遮光部形成工程とを行うことにより、前記レンズシートの遮光部を前記レンズシートの搬送方向にわたって連続的に形成することを特徴とする透過型スクリーンの製造方法を提供する。【選択図】図１
2007094300.tif 000002
【特許請求の範囲】
【請求項１】
複数の集光レンズを表面に並列したレンズ部と、該レンズ部の裏面側に前記レンズ部の透過光の透過範囲を規制する遮光部とを有するレンズシートを備える透過型スクリーンの製造方法であって、
前記レンズシートの前記レンズ部側から照明光を照射し、前記レンズシートの裏面側の一定位置で、前記レンズ部により集光された前記照明光を受光することにより、前記遮光部を形成するための版を製造する版製造工程を行うとともに、
該版製造工程により製造された版に基づいて、該版の製造位置に位置合わせした前記レンズシートの裏面側に、遮光性を有する遮光部形成材を印刷する遮光部形成工程とを行うことにより、
前記レンズシートの遮光部を前記レンズシートの搬送方向にわたって連続的に形成することを特徴とする透過型スクリーンの製造方法。
【請求項２】
前記照明光が、前記一定位置における受光面上で、前記遮光部の開口の形成位置および形成寸法に対応する範囲に集光されることを特徴とする請求項１記載の透過型スクリーンの製造方法。
【請求項３】
前記版製造工程で取得された前記遮光部を形成するための版が、位置合わせマークを有するものであり、
前記遮光部形成工程では、前記位置合わせマークに基づいて、前記遮光部形成材の印刷を行うことを特徴とする請求項１または２に記載の透過型スクリーンの製造方法。
【請求項４】
前記遮光部形成工程により、前記レンズシート上に前記遮光部形成材が配置された後に前記遮光部形成材の前記レンズシート上の位置を固定する定着工程を備えることを特徴とする請求項１〜３のいずれかに記載の透過型スクリーンの製造方法。
【発明の詳細な説明】
【技術分野】
【０００１】
本発明は、透過型スクリーンの製造方法に関する。例えば、プロジェクタ、背面投射型テレビなどに用いる透過型スクリーンの製造方法に関する。
【背景技術】
【０００２】
従来、例えば、プロジェクタ、背面投射型テレビなどに用いる透過型スクリーンは、投射光を略平行光にするフレネルレンズシートと、フレネルレンズシートから出射された略平行光に視野角を持たせるために垂直および水平方向に光を拡散させるレンチキュラーシートとを組み合わせた構成のものが知られている。
【０００３】
レンチキュラーシートには、一般に、シリンドリカルレンズを複数配置して投射光を線状に結像し、結像位置近傍で拡散させることにより視野角を付与するようになっている。その際、結像位置近傍の投射光の光路以外の部分を遮光するブラックストライプと呼ばれる遮光部を形成し、画像のコントラストを向上することが行われる。
【０００４】
例えば、特許文献１には、そのような構成の透過型スクリーンにおいて、版を用いた印刷によらない、いわゆるセルフアライメント法によりブラックストライプを形成する透過型スクリーンの製造方法が記載されている。
【０００５】
セルフアライメント法は、レンズ自身の集光特性を利用して、レンズによる集光部／非集光部に、遮光層を非形成／形成する手法である。例えば、特許文献１では、レンチキュラーレンズシートの非レンズ部側に粘着性感光樹脂層を設け、レンズ部から入射させた照明光を集光して粘着性感光樹脂層を感光させる。感光した粘着性感光樹脂層は粘着性が消失するので、粘着性が残存する領域に、黒色粉末トナーまたは黒色着色層を付着させることにより、遮光部を形成している。そのため、照明光の感光幅を適宜の幅に設定することにより、ブラックストライプを形成することができるものである。
【特許文献１】特開２００３−１０７５８４号公報（第２−５頁、図１、２）
【発明の開示】
【発明が解決しようとする課題】
【０００６】
しかしながら、上記のような従来の透過型スクリーンの製造方法には、以下のような問題があった。
【０００７】
特許文献１に記載の技術では、レンズシートの集光位置を、レンズシートの裏面側に設けた光記録媒体である粘着感光樹脂層により記録し、その集光位置を正確に避けてブラックストライプ（遮光部）を形成することができるものの、高価な粘着感光樹脂層をレンズシートの裏面に塗布する工程を設ける必要があるため、製造コストが高価につくという問題があった。
【０００８】
また、ブラックストライプの間には、粘着感光樹脂層が硬化した状態で残存するので、硬化した粘着感光樹脂層の表面性や透過率などによっては、光量損失が発生し、透過型スクリーンの透過率が悪くなるという問題がある。
【０００９】
本発明は、上記のような問題に鑑みてなされたものであり、０．３ｍｍ以下のファインピッチレンズにおいても、レンズシート上に粘着感光樹脂層などの光記録媒体を設けることなく、ノイズ光を遮光し正規の投射光を透過させる遮光部を簡素かつ高精度に形成する
ことができる透過型スクリーンの製造方法を提供することを目的とする。
【課題を解決するための手段】
【００１０】
上記の課題を解決するために、請求項１に記載の発明では、複数の集光レンズを表面に並列したレンズ部と、該レンズ部の裏面側に前記レンズ部の透過光の透過範囲を規制する遮光部とを有するレンズシートを備える透過型スクリーンの製造方法であって、
前記レンズシートの前記レンズ部側から照明光を照射し、前記レンズシートの裏面側の一定位置で、前記レンズ部により集光された前記照明光を受光することにより、前記遮光部を形成するための版を製造する版製造工程を行うとともに、
該版製造工程により製造された版に基づいて、該版の製造位置に位置合わせした前記レンズシートの裏面側に、遮光性を有する遮光部形成材を印刷する遮光部形成工程とを行うことにより、
前記レンズシートの遮光部を前記レンズシートの搬送方向にわたって連続的に形成することを特徴とする透過型スクリーンの製造方法とする。
【００１１】
この発明によれば、レンズシートを一定方向に搬送しつつ、版製造工程によりレンズシートのレンズ部を透過した照明光を受光して、遮光部を形成するための版を製造し、遮光部形成工程により版製造工程で製造した版に基づいて、版の製造位置に対応したレンズシートの裏面側に遮光部形成材を印刷することにより、レンズシート上に遮光部が連続的に形成される。
【００１２】
そのため、遮光部形成材が、レンズシート上に粘着感光樹脂層などの光記録媒体を設けることなく、レンズ部を透過する光路に正確に対応してレンズシート上に配置されるので、簡素かつ高精度に遮光部が形成される。
【００１３】
ここで、連続的に形成するとは、必ずしも形成される遮光部が連続することを意味するものではなく、搬送を停止または中断することなく、遮光部を搬送方向に沿って必要なだけ連続形成できることを意味する。
【００１４】
例えば、遮光部の必要な配置パターンが、搬送方向に隙間を設ける横縞状のものであれば、遮光部が幅方向に連続し搬送方向に不連続に形成されるのは当然である。
【００１５】
また例えば、異なる透過型スクリーン用の遮光部を搬送方向に沿って、順次形成するために、遮光部の配置パターンを搬送途中で、搬送を中断することなく連続的または不連続的に切り換えてもよい。
【００１６】
また、レンズシートは、連続シートであってもよいし、カットされたシートであってもよい。
【００１７】
請求項２に記載の発明では、請求項１に記載の透過型スクリーンの製造方法において、前記照明光が、前記一定位置における受光面上で、前記遮光部の開口の形成位置および形成寸法に対応する範囲に集光される方法とする。
【００１８】
この発明によれば、照明光が、一定位置における受光面上の受光位置で、遮光部の開口の形成位置および形成寸法となるように集光されるので、受光される光束の位置および大きさを検出することにより、遮光部を形成するための版が直接的に製造される。
【００１９】
請求項３に記載の発明では、請求項１または２に記載の透過型スクリーンの製造方法において、前記情報取得工程で取得された前記遮光部を形成するための版が、位置合わせマークを有するものであり、前記遮光部形成工程では、前記位置合わせマークに基づいて、
前記遮光部形成材の配置を行う方法とする。
【００２０】
この発明によれば、遮光部とは関係なく設けれればよいので、ボケのない状態で受光することができ、ノイズなどの影響を受けにくくなる。また、受光像のボケなどが、遮光部の形状に影響することがない。これらの結果、高精度な遮光部を形成することができる。
【００２１】
請求項４に記載の発明では、請求項１〜３のいずれかに記載の透過型スクリーンの製造方法において、前記遮光部形成工程により、前記レンズシート上に前記遮光部形成材が印刷された後に前記遮光部形成材の前記レンズシート上の位置を固定する定着工程を備える方法とする。
【００２２】
この発明によれば、定着工程により、レンズシート上に転写された遮光部形成材をその位置で固定するので、例えば遮光部形成材上に拡散層を形成するなどといった後工程を行う場合に、遮光部形成材のパターン配置が乱さないようにすることができる。
【００２３】
なお、固定手段は、遮光部形成材の種類に応じて適宜の手段を採用することができる。例えば、遮光部形成材が、トナーの様なインキである場合には、電子写真プロセスにおける定着工程に用いる手段と同様の手段を採用することができる。すなわち、熱ローラ定着などを採用することができる。
【００２４】
固定の程度は、後工程の支障にならない程度であればよく、例えば遮光部形成材の表面が軟化して相互間およびレンズシート表面に対して固着する程度でもよい。
【発明の効果】
【００２５】
本発明の透過型スクリーンの製造方法によれば、版製造工程によりレンズ部を透過した照明光を受光して遮光部を形成する版を製造し、遮光部形成工程において、版に基づいてレンズシート上に遮光部形成材を印刷することにより、遮光部が連続的に形成されるので、粘着感光樹脂層などの光記録媒体をレンズシート上に設けることなく、簡素かつ０．３ｍｍ以下のファインピッチレンズに遮光部を形成することができるという効果を奏する。
【００２６】
加えて、感光性樹脂に比べて安価なインクを用いることができる。また、感光性樹脂に比べて遮光性能の高いインクを用いて製造できるため収率も向上できる。さらに、遮光性能が向上できるため、外光反射が少ないコントラストの高いスクリーンが製造できる。また、同じ遮光性能なら薄い遮光層で効果が表れるため、材料費を抑えることができるとともに、遮光部の厚さによる光学的影響を一層低くすることができる。
【発明を実施するための最良の形態】
【００２７】
以下では、本発明の実施の形態について添付図面を参照して説明する。
【００２８】
本発明の実施形態に係る透過型スクリーンの製造方法について説明する。
【００２９】
図１は、本発明の実施形態に係る透過型スクリーンの製造方法で製造される透過型スクリーンの概略構成について説明するため模式的な断面説明図である。図２は、本発明の実施形態に係る透過型スクリーンの製造方法に用いる版の製造方法について説明するための断面工程説明図である。図３は、本発明の実施形態に係る透過型スクリーンの製造方法について説明するための概略部分断面図である。図４は、本発明の実施形態に係る遮光部を形成するための版と遮光部と透過型スクリーンとの関係について説明するための平面図である。
【００３０】
なお、いずれの図も模式図であり、寸法比および形状は適宜誇張されており、実際の寸
法を反映しているわけではない。
【００３１】
本実施形態の透過型スクリーンの製造方法により製造される透過型スクリーンの一例である透過型スクリーン１について説明する。
【００３２】
透過型スクリーン１は、図１に示すように、映像を投影するための投射光５０が入射される側（図示左側）から、それぞれ板状の、フレネルレンズ部２、レンチキュラー部３が近接して配置されたものである。
【００３３】
フレネルレンズ部２は、投射光５０を略平行光とするためのもので、例えばフレネルレンズ金型を用いて紫外線硬化樹脂などにより成形されたフレネルレンズシート２ｂと、適宜の剛性と光透過性とを備えフレネルレンズシート２ｂを自立可能に保持するための支持基板２ａとからなる。フレネルレンズシート２ｂは、支持基板２ａに対して粘着剤または接着剤により固定されている。
【００３４】
レンチキュラー部３は、フレネルレンズ部２に対向する側から、レンチキュラーレンズシート４（レンズシート）、ブラックストライプ（以下、ＢＳ）５ａ（遮光部）、拡散部材６、および表面フィルム７が積層されてなる。
【００３５】
レンチキュラーレンズシート４は、フレネルレンズ部２から出射される略平行光を一方向、例えば図示上下方向に集光するパワーを有する図示奥行き方向に延されたシリンドリカルレンズ４ａ（集光レンズ）が複数並列して配置されてレンズ部が形成され、レンズ部が基体シート４ｂの片面側に固定されたシート状部材である。
【００３６】
本実施形態では、シリンドリカルレンズ４ａは、例えば１００μｍピッチで並列されている。
【００３７】
シリンドリカルレンズ４ａの焦点距離は、シリンドリカルレンズ４ａを透過した略平行光が、シリンドリカルレンズ４ａが固定された基体シート４ｂの他方の片面である裏面の近傍に結像するように設定されている。
【００３８】
シリンドリカルレンズ４ａのレンズ断面形状は球面に限定されるものではない。例えば、楕円面、放物面や高次項を含むいわゆる非球面形状のものなどを用いてもよい。非球面形状のレンズを用いると、結像時の収差を小さくすることが出来、入射する光線を精細化することが可能なため、高Ｓ／Ｎの実現が容易となり、視野角特性も向上する。
【００３９】
シリンドリカルレンズ４ａの材質としては、例えば、紫外線硬化型樹脂を採用することができる。例えば、２官能性ウレタンアクリレートオリゴマー、単官能性アクリレートモノマー、２官能性アクリレートモノマー、光重合開始剤の成分を含む組成物が好適である。
【００４０】
前記２官能性ウレタンアクリレートオリゴマーは、各種イソシアネート類とポリオール類とを反応させて得ることができるが、ポリオール成分としてネオペンチルグリコールとアジピン酸とからなるポリエステルジールを含むものを使用する。前記成分は、芳香環を含まない構造なので耐光性が向上し、黄変が少ないので好適である。
【００４１】
前記単官能性アクリレートモノマーとしては種々使用可能であるが、例えば、ジシクロペンタニルオキシ基含有ポリ（ｎ＝１〜３）エトキシアクリレートを採用することができる。前記成分は、硬化物に柔軟性を付与することができ、さらにジシクロペンタニルオキシ基は脂環構造を含んでいるため、高屈折率にすることができる点で好適である。
【００４２】
前記２官能性アクリレートモノマーについても種々使用可能であるが、例えば、少なくともビスフェノールＡポリ（ｎ＝２〜１０）エトキシジアクリレートまたは１，６−ヘキサンジオールジアクリレートまたはノナンジオールジアクリレートのいずれかを使用するか、もしくは組み合わせて使用すると、耐光性良好にすることができるので好適である。特に、ビスフェノールＡポリ（ｎ＝２〜１０）エトキシジアクリレートは屈折率が高く、剛直な構造を有しているため硬化物に強靭性をもたせ、耐光性を付与しやすい点で好適である。
【００４３】
基体シート４ｂは、光透過性のシート状部材であれば、特に限定されないが、例えば、ポリエステル樹脂、ポリスチレン樹脂、ポリオレフィン樹脂、アクリル樹脂、ポリカーボネート樹脂、塩化ビニル樹脂、ポリエチレンテレフタレート（ＰＥＴ）樹脂または上記の樹脂のブレンド物もしくは共重合体からなるシート、フィルム等が使用可能である。
【００４４】
特に、生産性の点から０．１〜０．２ｍｍ厚の薄いポリエステル及びポリカーボネートフィルムを採用することが望ましい。このような薄いフィルムを使用した場合には、スクリーンとしての剛性に乏しいことから、さらに厚さ０．７ｍｍ以上の透光性樹脂基板上に粘着材を介して積層した構成として基体シート４ｂを形成し、強度を維持することが好ましい。
【００４５】
ＢＳ５ａは、基体シート４ｂの裏面の図示上下方向に、適宜の隙間を隔ててシリンドリカルレンズ４ａが延びる方向に延して複数設けられた遮光部である。本実施形態では、黒色インキを帯状に印刷して形成されている。
【００４６】
ＢＳ５ａ間の隙間は、光が透過するスリット状の透過層５ｂを形成している。透過層５ｂは、本実施形態の場合、幅３０μｍとされ、シリンドリカルレンズ４ａの光軸から±１５μｍの範囲に形成されている。
【００４７】
ＢＳ５ａは、投射光５０を略１００％透過し、投射光５０の光路外から入射するノイズ光をできるかぎり遮光して、コントラストを向上するために設けられている。そのため、透過層５ｂの幅は、投射光５０の光透過範囲と略同じかわずかに広い幅に設定される。
【００４８】
透過層５ｂは、後述する拡散部材６を板状部材として形成し、光透過性の粘着剤、接着剤などにより固定する場合には、その粘着剤、接着剤により充填される。
【００４９】
粘着剤としては、アクリル系、エチレンビニルアセテート系などの粘着剤が使用されるが、その材質や構成等に特に限定されるものではなく汎用の粘着剤が使用可能である。また、粘着剤の代わりに紫外線硬化型接着剤を使用することも可能である。
【００５０】
また、後述する拡散部材６が、ＢＳ５ａ上に樹脂コーティングを行って硬化させることにより形成される場合には、透過層５ｂは、コーティング樹脂が充填され、結果として拡散部材６の一部をなしていてもよい。この場合、透過層５ｂも光拡散性を備えるものとなる。
【００５１】
拡散部材６は、透過層５ｂの範囲を通過する投射光５０を２軸方向、例えば垂直（図示上下）および水平（紙面前後方向）に拡散して、適宜の視野角特性を持つようにするための光拡散性を有するシート状部材であり、基体シート４ｂに対向して設けられている。
【００５２】
拡散部材６は、適宜の光透過性の樹脂母材中に母材よりも高屈折率の光拡散剤を分散することにより形成することができる。例えば、樹脂母材を溶融して、光拡散剤を混練する
ことにより製作することができる。
【００５３】
樹脂母材としては、基体シート４ｂと同様の樹脂材料を好適に採用することができる。
【００５４】
光拡散剤としては、珪素、アルミニウム、カルシウムあるいはこれらの酸化物を含む無機質粉末やガラスビーズあるいは、樹脂を架橋させたポリマービーズ等を採用することができる。
【００５５】
拡散部材６は、あらかじめ適宜の厚さを備えたシート状または板状に形成されたものを、ＢＳ５ａ上に粘着剤や接着剤などで固定してもよいし、樹脂母材中に光拡散剤を混練した樹脂をＢＳ５ａおよびＢＳ５ａ間に露出する基体シート４ｂ上にコーティングして硬化させて形成してもよい。
【００５６】
また、拡散部材６を透光性樹脂基材と光拡散層との２層構造により形成してもよい。このような２層構造は、ＢＳ５ａ上に透光性樹脂基材を固定し、光拡散剤を含む光拡散層をコーティングしたり、光拡散シートを粘着剤などにより固定したりすることで形成することができる。
【００５７】
表面フィルム７は、透過型スクリーン１を観察する側の最外面において、種々の機能を付与するために拡散部材６上に貼り付けたフィルム部材である。種々の機能としては、例えば反射防止機能、帯電防止機能などを挙げることができる。
【００５８】
次に本発明の透過型スクリーンの製造方法について、遮光部の形成方法を中心に説明する。フレネルレンズ部２の製造方法や、レンチキュラー部３において拡散部材６、表面フィルム７を設けるための製造方法などは、周知技術を適宜用いることができるので詳しい説明は省略する。
【００５９】
本実施形態では、レンチキュラーレンズシート４をシート状に形成した後、一定方向に搬送しつつ、基体シート４ｂ上に連続的にＢＳ５ａを形成する。レンチキュラーレンズシート４は、ＢＳ５ａを固定した後、拡散部材６、表面フィルム７を設ける工程が実施され、それらの工程が終了した後、適宜の大きさに切断され、レンチキュラー部３が完成する。
【００６０】
本実施形態におけるＢＳ５ａの形成方法は、以下に説明する版製造工程、遮光部形成工程、定着工程からなり、例えば、図２に示す遮光部形成装置１０を用いて行われる。
【００６１】
遮光部形成装置１０は、レンチキュラーレンズシート４を一定方向に搬送し、その搬送過程で、各工程を順次にかつ同時並行的に行うものである。
【００６２】
レンチキュラーレンズシート４は、シリンドリカルレンズ４ａが図示下方、基体シート４ｂが図示上方を向いた状態で搬送される。各シリンドリカルレンズ４ａが延びる方向は、適宜方向とすることができるが、長尺の場合はバッチ処理ではなく、搬送方向に沿って延されている場合の例で説明する。
【００６３】
そして、レンチキュラーレンズシート４上で、搬送方向に直交する方向を、以下、レンチキュラーレンズシート４の幅方向と称する。幅方向の寸法は、例えば背面投射型テレビ用であれば、約１ｍ〜１．３ｍ程度となる。
【００６４】
図３に示すように、まず、照明ユニット８によりシリンドリカルレンズ４ａに向けて照明光８ａを照射する。
【００６５】
このとき、シリンドリカルレンズ４ａのレンズ領域以外の部分に予め位置合わせマークを形成しておく。
【００６６】
照明光８ａは、各シリンドリカルレンズ４ａに入射すると、そのパワーにより収斂光として進み、基体シート４ｂの裏面側で幅Ｗの範囲に出射される。そして、さらに収斂を続けて、結像位置Ｆで結像され、その後、発散しながら版材９に入射する。
【００６７】
本実施形態では、受光面上で光束が幅Ｗとなる位置に、予め版材９の感光面９ａの位置を調整しておく。例えば照明光８ａが出射される面から距離ｄの位置に設定されている。
【００６８】
版材９は、レンチキュラーレンズシート４が搬送方向画素の大きさに対応する所定画素サイズだけ搬送される時間内に、感光して、レンチキュラーレンズシート４が搬送されるにつれて、照明光８ａが搬送方向の後方側に走査され、版全体が順次、露光する。なお、このとき露光するのはこれ以外に位置合わせマークも同様にシリンドリカルレンズから版材に露光される。その後、現像することにより版材から印刷版を得ることとなり、ＢＳ５ａが設けられた印刷版が得られる。
【００６９】
このうち、版の露光工程について図３を用いてさらに詳しく説明する。
【００７０】
まず現物のレンチキュラーレンズシート４に予め位置合わせマークを形成しておく。
【００７１】
版製造工程は、レンチキュラーレンズシート４を挟んでそれぞれ対向して設けられた、シリンドリカルレンズ４ａ側の照明ユニット８と、基体シート４ｂ側に固定した版材９とからなる。
【００７２】
照明ユニット８は、レンチキュラーレンズシート４の幅方向（図示の紙面奥行き方向）に延びるライン状あるいは帯状の照明光８ａを照射するためのものである。例えば、１つの光源からの光を光ファイバで導光して、出射光を直線上に密接配置して、光束の拡がり角を整えるためのシリンドリカルレンズ（不図示）を設けた構成や、複数のＬＥＤを直線上に配置し、それぞれの出射光を集光レンズで集光する構成などを採用することができる。
【００７３】
照明光８ａの拡がり角は、投射光５０の拡がり角に合わせる。本実施形態では、略０°、すなわち略平行光となるように設定されている。
【００７４】
照明光８ａの波長は、特に限定されず、例えば適宜の可視光を好適に採用することができるが、投射光５０と同様の波長特性を有する光であればＢＳ５ａをより高精度に形成することができて好ましい。
【００７５】
この上で、版材９にレンチキュラーレンズシート４を透過した照明光８ａを露光して製造する。
【００７６】
照明ユニット８は、レンチキュラーレンズ部および位置合わせマークがある部分を照射するためのものである。例えば、１つの光源からの光を光ファイバで導光して、出射光を直線上に密接配置して、光束の拡がり角を整えるためのシリンドリカルレンズ（不図示）を設けた構成や、複数のＬＥＤを直線上に配置し、それぞれの出射光を集光レンズで集光する構成などを採用することができる。
【００７７】
この様な版材は、メッシュと、露光部分が硬化し現像により未露光部分が除去される感
光性材料からなる版材である。
【００７８】
この結果製造された版は、図４の様なスクリーン印刷用版２３であり、後述の印刷に用いられる。
【００７９】
次に、図５で示す様に遮光部形成部は、本実施形態では、上述の版２３を用いてスクリーン印刷方式によりインキ１５のパターンを形成し、レンチキュラーレンズシート４に版を介して転写する機構が採用されている。
【００８０】
インキ１５は、遮光性を有していれば、特に色は限定されないが、反射光が迷光とならないように、光吸収性を有する黒色を採用することが好ましい。本実施形態では、適宜のガラス転移温度または融点を有する着色された熱可塑性樹脂の粉体から構成される。例えば、スクリーン印刷に用いる黒色インキである。
【００８１】
次に、本実施形態に係る透過型スクリーンの製造方法について、遮光部形成工程を動作ともに説明する。
【００８２】
遮光部形成工程は、図５に示すように、全面に設けたインキ１５供給ドラム１１上に一様に均一に形成し、版製造工程で製造された版２３を介して回転することにより印刷する工程である。
【００８３】
定着工程では、このようにして基体シート４ｂ上に形成されたインキ１５の転写像を定着ユニット２１により、熱定着する。
【００８４】
定着ローラ２１ａは、ローラ表面温度が所定温度に制御された状態で線速Ｖで回転され、対向する加圧ローラ２１ｂとの間でレンチキュラーレンズシート４を挟持して搬送する。
【００８５】
このとき、定着ローラ２１ａ、加圧ローラ２１ｂで挟持されたニップ幅内で、インキ１５に熱量が供給され、溶剤蒸発温度に達するとインキ１５が固化してインキ１５が基体シート４ｂに対して固着する状態が形成される。そして、ニップから出ると放熱して変形状態が固定され、インキ１５が基体シート４ｂに定着される。
【００８６】
このようにして、インキ１５によりＢＳ５ａが形成される。
【００８７】
本実施形態では、図４に示す様に位置合わせマーク２４により、版２３を介してレンチキュラーレンズシート４を透過する透過光路に正確に対応して、遮光部を形成することができる。
【００８８】
また、ＢＳ５ａを形成するために、インキ１５を基体シート４ｂ上に、直接的に印刷するので、基体シート４ｂに粘着感光樹脂層などの光記録媒体を塗布、貼り付けなどにより設けなくてよくＢＳ５ａを簡素に形成することができる。
【００８９】
また、レンチキュラーレンズシート４を一定方向に搬送してその搬送路上で、定着工程を順次かつ同時並行的に行うことにより、ＢＳ５ａを連続的に形成するので、レンチキュラーレンズシート４を効率的に製造することができる。
【００９０】
また、この搬送路上に、さらに拡散部材６、表面フィルム７を形成する工程を設ければ、レンチキュラーレンズシート４を１ラインで製造することができるという利点がある。
【００９１】
次に、本実施形態の変形例について説明する。
【００９２】
本変形例は、上記実施形態が、版材９を、ＢＳ５ａの形成位置、形成幅に対応した透過光を受光できるように、基体シート４ｂから距離ｄの位置に配置したものであるのに対し、版材９を基体シート４ｂ側に近づけて結像位置Ｆの近傍に配置して、版製造工程を行う。
【００９３】
この場合、照明光８ａの透過光は、版材９上の略結像し、版材９では狭い範囲に高輝度の光が受光され、シャープな版を得る。
【００９４】
本変形例によれば、版材９が結像位置近傍の光で露光するため、シャープな版を得ることができ、それにより、感光状態の変動などによりＢＳ５ａの幅が変化することがなく、遮光部を高精度に形成することができるという利点がある。
【００９５】
また、上記の説明では、レンチキュラーレンズシート４が、基体シート４ｂ上にシリンドリカルレンズ４ａが接着された例で説明したが、図５に示すように、上記実施形態のシリンドリカルレンズ４ａと基体シート４ｂとが一体に形成されたレンチキュラーレンズシート４０も好適に採用することができる。
【００９６】
また、上記の説明では、遮光部形成工程をスクリーンで形成する例で説明したが、レンズシートで製造された版に基づいて遮光部を形成することができれば、他の印刷手段を用いてもよい。
【００９７】
例えば、オフセット方式やグラビア方式を採用してもよい。定着工程としては、例えばインクの乾燥を促進する乾燥器を採用することができる。
【００９８】
また、上記の説明では、レンズ部がシリンドリカルレンズの場合について説明したが、レンズ部は２次元的に配置された集光レンズ群であってもよい。この場合、上記実施形態によれば、自動的に遮光部が格子状あるいは水玉状に形成されるものである。上記実施形態の変形例では、遮光部の隙間のデータを、遮光部のエリアの形状と大きさのデータに代えればよい。
【００９９】
また、上記の説明では、遮光部形成材を定着工程で定着する場合の例で説明したが、遮光部形成材をレンズシートに定着するまでもなくその位置を固定した状態で、拡散部材６が形成できる場合には、定着工程を省略してもよい。
【０１００】
また、上記実施形態の説明では、版材９を基体シート４ｂから距離ｄに配置して、受光幅が、照明光８ａが基体シート４ｂから出射される幅Ｗと同一になるように設定したが、コントラストまたは照明光８ａのケラレが許容される範囲で、幅Ｗと異なる幅の光を受光するように位置を調整してもよい。例えば、転写時や定着時にＢＳ５ａのエッジ部の形状精度にバラツキが発生しやすい場合には、幅Ｗよりわずかに広くして、多少ＢＳ５ａの形状がばらついても投射光５０がＢＳ５ａのエッジ部にかからないようにすることなどが考えられる。
【０１０１】
また、上記の説明では、レンチキュラーレンズシート４に入射する照明光８ａが投射光５０と同一の拡がり角を有する例で説明したが、例えば、ＢＳ５ａ間の隙間を幅Ｗと異なる値に設定する場合など、照明光８ａの拡がり角を可変することにより、版材９上の露光幅を可変してもよい。
【図面の簡単な説明】
【０１０２】
【図１】本発明の実施形態に係る透過型スクリーンの製造方法で製造される透過型スクリーンの概略構成について説明するため模式的な断面説明図である。
【図２】本発明の実施形態に係る透過型スクリーンの製造方法に用いる版の製造方法について説明するための断面工程説明図である。
【図３】本発明の実施形態に係る透過型スクリーンの製造方法について説明するための概略部分断面図である。
【図４】本発明の実施形態に係る遮光部を形成するための版と遮光部と透過型スクリーンとの関係について説明するための平面図である。
【図５】本発明の実施形態に係る透過型スクリーンの遮光部形成工程を説明するための模式的な断面説明図である。
【図６】本発明の実施形態に係る透過型スクリーンの製造方法を用いることができる他のレンズシートの例について説明するための模式的な断面説明図である。
【符号の説明】
【０１０３】
１  透過型スクリーン
２  フレネルレンズ部
３  レンチキュラー部
４  レンチキュラーレンズシート（レンズシート）
４ａ  シリンドリカルレンズ（レンズ部）
４ｂ  基体シート
５ａ  ブラックストライプ（遮光部、ＢＳ）
６  拡散部材
７  表面フィルム
８  照明ユニット
８ａ  照明光
９  版材
９ａ  露光部
１０  遮光部形成装置
１０Ｂ  遮光部形成部
１０Ｃ  定着部
１１  ドラム
１３ａ  レーザ光
１４  現像器
１５  インキ（遮光部形成材）
２０ａ、２０ｂ  搬送ローラ
２１  定着ユニット
２３  版
２３ａ  開口部
２３ｂ  遮口部
２４  位置合わせマーク
２６  遮光部形成後のレンズシート
５０  投射光
６３  印刷後のスクリーン
【図１】
2007094300.tif 000003
【図２】
2007094300.tif 000004
【図３】
2007094300.tif 000005
【図４】
2007094300.tif 000006
【図５】
2007094300.tif 000007
【図６】
2007094300.tif 000008